(57)【要約】【課題】管理している情報の誤りを検出することが可能な情報管理システムを得ること。【解決手段】情報管理システム１は、設備同士の接続関係の情報である接続関係情報と、接続関係にある設備同士の距離を示す設備間距離と、設備の位置情報と、を含む設備管理情報を保持するサーバ２０と、設備の点検結果を取得する端末装置１０と、を備え、端末装置１０は、点検結果が入力された場合に、入力された点検結果に対応する設備の位置情報を取得する位置情報取得部１２と、位置情報をサーバ２０へ送信する情報送受信部１３と、を備え、サーバ２０は、端末装置１０から受信した位置情報と設備管理情報に含まれる位置情報とに基づいて、設備間距離に誤りがあるか否かを判定する正当性判定部２２、を備える。【選択図】図１
2019211957.tif 000002
【特許請求の範囲】
【請求項１】
設備同士の接続関係の情報である接続関係情報と、接続関係にある設備同士の距離を示す設備間距離と、設備の位置情報と、を含む設備管理情報を保持するサーバと、
前記設備の点検結果を取得する端末装置と、
を備え、
前記端末装置は、
前記点検結果が入力された場合に、入力された点検結果に対応する設備の位置情報を取得する位置情報取得部と、
前記位置情報取得部が取得した位置情報を前記サーバへ送信する情報送受信部と、
を備え、
前記サーバは、
前記端末装置から受信した位置情報と前記設備管理情報に含まれる位置情報とに基づいて、前記設備間距離に誤りがあるか否かを判定する正当性判定部、
を備えることを特徴とする情報管理システム。
【請求項２】
前記サーバは、
前記正当性判定部による判定結果を前記端末装置へ送信する情報送受信部、
を備え、
前記端末装置は、前記正当性判定部による判定結果を表示部に表示する、
ことを特徴とする請求項１に記載の情報管理システム。
【請求項３】
前記表示部は、誤りがある設備間距離を表示する場合、誤りが無い設備間距離を表示する場合とは異なる表示形式で表示を行う、
ことを特徴とする請求項２に記載の情報管理システム。
【請求項４】
前記表示部は、前記判定結果が前記設備間距離に誤りがあることを表す場合、誤りの内容を表示する、
ことを特徴とする請求項２または３に記載の情報管理システム。
【請求項５】
前記端末装置は、前記判定結果が前記設備間距離に誤りがあることを表す場合に前記設備間距離を修正するための操作を受け付ける操作受付部、
を備えることを特徴とする請求項２から４のいずれか一つに記載の情報管理システム。
【請求項６】
設備同士の接続関係の情報である接続関係情報と、接続関係にある設備同士の距離を示す設備間距離と、設備の位置情報と、を含む設備管理情報を保持するサーバとともに情報管理システムを構成する端末装置であって、
前記設備の点検結果を入力する操作を受け付ける操作受付部と、
前記操作受付部が前記点検結果を入力する操作を受け付けた場合に前記点検結果に対応する設備の位置情報を取得する位置情報取得部と、
前記位置情報取得部が取得した位置情報を前記サーバへ送信するとともに、当該位置情報に基づいて前記サーバが前記設備管理情報に含まれる設備間距離の正当性を判定した結果を受信する情報送受信部と、
前記設備間距離の正当性の判定結果を表示する表示部と、
を備えることを特徴とする端末装置。
【請求項７】
設備同士の接続関係の情報である接続関係情報と、接続関係にある設備同士の距離を示す設備間距離と、設備の位置情報と、を含む設備管理情報を保持するサーバと、前記設備の点検結果を取得する端末装置と、を備える情報管理システムにおける情報管理方法であって、
前記端末装置が、前記点検結果が入力された場合に、入力された点検結果に対応する設備の位置情報を取得する第１のステップと、
前記サーバが、前記第１のステップで取得された位置情報と前記設備管理情報に含まれる位置情報とに基づいて、前記設備間距離に誤りがあるか否かを判定する第２のステップと、
を含むことを特徴とする情報管理方法。
【発明の詳細な説明】
【技術分野】
【０００１】
本発明は、電柱などの配電設備に関する情報を管理する情報管理システム、端末装置および情報管理方法に関する。
【背景技術】
【０００２】
電柱に関連する情報および電柱の位置情報を管理する従来の発明が特許文献１に記載されている。特許文献１に記載の発明は、電柱位置情報、設備情報などの入力を受け付ける電柱情報提供装置と、電柱位置情報、設備情報などを含む電柱情報データベースを保持するサーバとを備え、電柱情報提供装置は、入力された電柱位置情報、設備情報などを保持しておき、保持しておいた情報に基づいて電柱情報データベースを更新する処理を日毎に実行する。
【先行技術文献】
【特許文献】
【０００３】
【特許文献１】特開２００５−１８２５０号公報
【発明の概要】
【発明が解決しようとする課題】
【０００４】
電柱などの配電設備を管理するシステムでは、個々の設備に関連する情報に加えて、設備同士の接続関係の情報、接続関係にある設備同士の距離の情報などを管理する。管理対象の各情報の入力は、設備を設置する際に作業者により行われる。また、既存の設備を移設する際には、データベースに登録済みの情報を更新する作業が作業者により行われる。情報の入力および更新が手作業により行われるため、入力間違い等が発生して正しい情報がデータベースに登録されない可能性がある。しかしながら、特許文献１に記載の発明では、データベースに誤った情報が登録された場合にこれを検出することが難しいという問題があった。
【０００５】
本発明は、上記に鑑みてなされたものであって、管理している情報の誤りを検出することが可能な情報管理システムを得ることを目的とする。
【課題を解決するための手段】
【０００６】
上述した課題を解決し、目的を達成するために、本発明にかかる情報管理システムは、設備同士の接続関係の情報である接続関係情報と、接続関係にある設備同士の距離を示す設備間距離と、設備の位置情報と、を含む設備管理情報を保持するサーバと、設備の点検結果を取得する端末装置と、を備える。端末装置は、点検結果が入力された場合に、入力された点検結果に対応する設備の位置情報を取得する位置情報取得部と、位置情報取得部が取得した位置情報をサーバへ送信する情報送受信部と、を備える。サーバは、端末装置から受信した位置情報と設備管理情報に含まれる位置情報とに基づいて、設備間距離に誤りがあるか否かを判定する正当性判定部、を備える。
【発明の効果】
【０００７】
本発明にかかる情報管理システムは、管理している情報の誤りを検出することができるという効果を奏する。
【図面の簡単な説明】
【０００８】
【図１】実施の形態にかかる情報管理システムの構成例を示す図
【図２】実施の形態にかかる端末装置を実現するハードウェアの一例を示す図
【図３】実施の形態にかかるサーバを実現するハードウェアの一例を示す図
【図４】実施の形態にかかる端末装置の動作の一例を示すフローチャート
【図５】実施の形態にかかるサーバの動作の一例を示すフローチャート
【図６】実施の形態にかかる端末装置が表示する設備間距離の整合性確認結果の一例を示す図
【発明を実施するための形態】
【０００９】
以下に、本発明の実施の形態にかかる情報管理システム、端末装置および情報管理方法を図面に基づいて詳細に説明する。なお、この実施の形態によりこの発明が限定されるものではない。
【００１０】
実施の形態．
図１は、本発明の実施の形態にかかる情報管理システムの構成例を示す図である。本実施の形態にかかる情報管理システム１は、配電設備に関する情報を管理するものであり、端末装置１０およびサーバ２０を備える。配電設備の例は、電柱、電線、電柱に設置される機器などである。電柱に設置される機器には、変圧器、開閉器などが該当する。以下の説明では、配電設備を単に「設備」と記載する。
【００１１】
端末装置１０は、設備の点検を行う作業者１９により操作され、点検結果を示す情報の入力操作などを受け付ける。端末装置１０は、無線通信回線を介してネットワーク３０に接続される。サーバ２０は、管理者２９により操作され、配電設備に関する情報の入力操作などを受け付ける。サーバ２０は、有線通信回線を介してネットワーク３０に接続される。なお、サーバ２０は、無線通信回線を介してネットワーク３０に接続される構成であってもよい。端末装置１０およびサーバ２０はネットワーク３０を介して相互に通信することが可能である。
【００１２】
端末装置１０は、表示部１１、位置情報取得部１２、情報送受信部１３および操作受付部１４を備える。
【００１３】
表示部１１は、作業者１９から情報の入力を受け付けるための画面、サーバ２０から受信した情報を作業者１９に通知するための画面など、各種の画面を表示する。
【００１４】
位置情報取得部１２は、予め定められた条件を満たした場合に、ＧＰＳ（Global  Positioning  System）を利用して端末装置１０の位置情報を取得する。
【００１５】
情報送受信部１３は、サーバ２０との間で各種情報を送受信する。
【００１６】
操作受付部１４は、作業者１９による操作などを受け付ける。
【００１７】
サーバ２０は、情報送受信部２１、正当性判定部２２、情報更新部２３、表示部２４および設備管理情報保持部２５を備える。
【００１８】
情報送受信部２１は、端末装置１０との間で各種情報を送受信する。
【００１９】
正当性判定部２２は、端末装置１０で取得された位置情報から算出される距離が、設備管理情報保持部２５が保持している情報の一つである設備間距離と整合するか否かを判定する。設備間距離とは、接続関係にある２つの設備の距離であり、例えば、電線で接続された２つの電柱の距離である。
【００２０】
情報更新部２３は、設備管理情報保持部２５に情報を登録する処理、登録されている情報を更新する処理、登録されている情報を削除する処理などを行う。
【００２１】
表示部２４は、管理者２９が情報を入力するための画面、設備管理情報保持部２５が保持している情報を管理者２９が確認するための画面など、各種の画面を表示する。
【００２２】
設備管理情報保持部２５は、設備に関する情報である設備管理情報を保持するデータベースである。設備管理情報は、設備の設置時に作成され、設置済みの設備が移設された場合、設備の点検が行われた場合などに更新される。設備管理情報は、各設備の種類および識別情報を含む。また、設備管理情報は、各設備の設置日、移設日、設置位置、接続されている他の設備、接続されている他の設備との距離、点検の実施日、点検結果などをさらに含む。なお、設備管理情報をこれらの情報に限定するものではない。これらの情報の一部が設備管理情報に含まれていてもよいし、他の情報が設備管理情報に含まれてもよい。ただし、本実施の形態では、設備管理情報は、少なくとも、設備の識別情報である設備識別情報、設備の設置位置を示す位置情報、接続されている他の設備の識別情報、および、接続されている他の設備との距離、を含むものとする。接続されている他の設備の識別情報は、設備同士の接続関係を示す情報である。接続されている他の設備との距離は、接続関係にある設備同士の距離を示す設備間距離である。
【００２３】
ここで、端末装置１０およびサーバ２０の各構成要素を実現するハードウェアについて説明する。図２は、端末装置１０を実現するハードウェアの一例を示す図である。図３は、サーバ２０を実現するハードウェアの一例を示す図である。
【００２４】
図１に示した端末装置１０の各構成要素は、例えば、図２に示した演算装置１０１、記憶装置１０２、表示装置１０３、入力装置１０４、通信装置１０５およびＧＰＳ受信機１０６で実現することができる。
【００２５】
演算装置１０１は、ＣＰＵ（Central  Processing  Unit）であり、中央処理装置、処理装置、演算装置、マイクロプロセッサ、マイクロコンピュータ、ＤＳＰ（Digital  Signal  Processor）とも呼ばれる。記憶装置１０２は、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read  Only  Memory）等の、不揮発性または揮発性の半導体メモリ、ハードディスクなどである。表示装置１０３は、液晶モニタ、ディスプレイ等である。入力装置１０４は、キーボード、マウスなどである。
【００２６】
端末装置１０の表示部１１は、表示装置１０３により実現され、位置情報取得部１２は、ＧＰＳ受信機１０６により実現される。また、端末装置１０の情報送受信部１３は、通信装置１０５により実現され、操作受付部１４は、入力装置１０４により実現される。
【００２７】
端末装置１０は、設備の点検といった保守作業を行うための専用の装置であってもよいし、スマートフォン、タブレット端末、ノート型のパーソナルコンピュータなどの無線通信機能を有する機器であってもよい。
【００２８】
図１に示したサーバ２０の各構成要素は、例えば、図３に示した演算装置２０１、記憶装置２０２、表示装置２０３、入力装置２０４および通信インタフェース２０５で実現することができる。演算装置２０１、記憶装置２０２、表示装置２０３および入力装置２０４は、それぞれ、上述した演算装置１０１、記憶装置１０２、表示装置１０３および入力装置１０４と同様のデバイスである。通信インタフェース２０５は、ネットワーク３０に接続して他の装置と通信を行うための回路である。通信インタフェース２０５は、例えばネットワークインターフェースカード（ＮＩＣ：Network  Interface  Card）である。
【００２９】
サーバ２０の情報送受信部２１は、通信インタフェース２０５により実現され、表示部２４は、表示装置２０３により実現される。また、サーバ２０の正当性判定部２２および情報更新部２３は、演算装置２０１および記憶装置２０２により実現される。すなわち、サーバ２０の正当性判定部２２および情報更新部２３は、正当性判定部２２および情報更新部２３の機能を実現するためのプログラムを記憶装置２０２が保持しておき、このプログラムを演算装置２０１が記憶装置２０２から読み出して実行することにより、実現される。また、サーバ２０の設備管理情報保持部２５は、記憶装置２０２により実現される。
【００３０】
つづいて、本実施の形態にかかる端末装置１０およびサーバ２０の動作を説明する。具体的には、端末装置１０が設備の点検結果の入力を作業者１９から受け付け、入力された点検結果の内容を示す情報をサーバ２０へ送信する動作について説明する。
【００３１】
まず、端末装置１０の動作を説明する。図４は、端末装置１０の動作の一例を示すフローチャートである。端末装置１０は、例えば、点検結果の入力開始を指示する操作を作業者１９から受け付けると、図４に示した動作を開始する。
【００３２】
端末装置１０は、図４に示した動作を開始すると、点検対象の設備の情報および点検結果を取得する（ステップＳ１１）。このステップＳ１１では、表示部１１が、設備の情報および点検結果を作業者１９に入力させるためのメニュー画面を表示し、操作受付部１４が、設備の情報および点検結果の入力を受け付ける。設備の情報は、少なくとも、設備識別情報を含むものとする。点検結果は、設備の異常の有無、設備の劣化状態などを示す情報であり、点検を行った日時、点検を行った作業者１９の情報などを含んでもよい。ステップＳ１１は、例えば、メニュー画面に表示されたメニューボタンのうち、情報入力を終了させるためのメニューボタンが押下された場合に終了する。なお、作業者１９は、点検対象の設備の付近で端末装置１０を操作して設備の情報および点検結果の入力作業を行い、入力作業を終了するものとする。
【００３３】
端末装置１０は、ステップＳ１１が終了すると、位置情報を取得する（ステップＳ１２）。このステップＳ１２では、位置情報取得部１２が、点検対象の設備の位置情報に相当する端末装置１０の位置情報を取得する。
【００３４】
次に、端末装置１０は、ステップＳ１１で取得した情報の中の設備識別情報およびステップＳ１２で取得した位置情報をサーバ２０へ送信する（ステップＳ１３）。なお、詳細については後述するが、サーバ２０は、端末装置１０から設備識別情報および位置情報を受信すると、受信した設備識別情報に対応する点検対象の設備と、点検対象の設備と接続関係にある他の設備との距離である設備間距離を設備管理情報保持部２５から抽出する。また、サーバ２０は、受信した位置情報に基づいて、点検対象の設備と、接続関係にある他の設備との間の距離を算出し、抽出した設備間距離と算出した距離が整合するかどうかを確認し、確認結果を端末装置１０へ送信する。
【００３５】
端末装置１０は、ステップＳ１３を実行した後、設備間距離の整合性確認結果を受信する（ステップＳ１４）。設備間距離の整合性確認結果には、設備間距離に不整合が有るか否かの情報が含まれる。端末装置１０は、設備間距離の不整合がある場合（ステップＳ１５：Ｙｅｓ）、その旨を作業者１９に通知する（ステップＳ１６）。ステップＳ１６の通知は、設備間距離の不整合があることを示す内容の画面を表示部１１が表示することにより行う。ステップＳ１６において表示部１１が表示する画面の例については別途説明する。
【００３６】
端末装置１０は、ステップＳ１６で設備間距離に不整合があることを通知している間、不整合を解消させるための操作、具体的には、サーバ２０が保持している設備間距離を修正する操作を受け付けることが可能である。作業者１９は、必要に応じて、サーバ２０が保持している設備間距離を修正する操作を行う。
【００３７】
端末装置１０は、修正操作を受け付けた場合（ステップＳ１７：Ｙｅｓ）、修正後の設備間距離を設備の点検結果に含めてサーバ２０へ送信する（ステップＳ１８）。この場合、点検結果は、修正後の設備間距離の他に、少なくとも、修正後の設備間距離の識別情報、点検対象の設備の識別情報を含む。修正後の設備間距離の識別情報は、例えば、接続関係にある他の設備の識別情報とすることができる。なお、サーバ２０は、ステップＳ１８で端末装置１０が送信した点検結果を受信すると、点検結果を設備管理情報保持部２５で保持するとともに、設備管理情報保持部２５が保持している設備間距離を、受信した設備間距離（修正後の設備間距離）に更新する。
【００３８】
端末装置１０は、設備間距離の不整合が無い場合（ステップＳ１５：Ｎｏ）および設備間距離の修正操作を受け付けなかった場合（ステップＳ１７：Ｎｏ）、設備の点検結果をサーバ２０へ送信する（ステップＳ１９）。なお、サーバ２０は、ステップＳ１９で端末装置１０が送信した点検結果を受信すると、点検結果を設備管理情報保持部２５で保持する。
【００３９】
次に、サーバ２０の動作を説明する。図５は、サーバ２０の動作の一例を示すフローチャートである。
【００４０】
サーバ２０は、端末装置１０から設備識別情報および位置情報を受信すると（ステップＳ２１）、受信した位置情報に基づいて設備管理情報を更新する（ステップＳ２２）。ステップＳ２１でサーバ２０が受信する情報は、上述した図４のステップＳ１３で端末装置１０が送信する設備識別情報および位置情報である。設備管理情報の更新は情報更新部２３が行う。ステップＳ２１において、情報更新部２３は、設備管理情報保持部２５が保持している設備管理情報のうち、端末装置１０から受信した設備識別情報に対応する設備管理情報に含まれている位置情報を、端末装置１０から受信した位置情報に更新する。
【００４１】
次に、サーバ２０は、端末装置１０から受信した設備識別情報が示す設備と接続関係にある設備を検索する（ステップＳ２３）。接続関係にある設備の検索は正当性判定部２２が行う。ステップＳ２３において、正当性判定部２２は、設備管理情報保持部２５が保持している各設備管理情報を確認し、端末装置１０から受信した設備識別情報が示す設備と接続されている設備を検索する。
【００４２】
接続関係にある設備が存在する場合、すなわち、ステップＳ２３で該当する設備を検索した場合（ステップＳ２４：Ｙｅｓ）、正当性判定部２２は、端末装置１０から受信した位置情報と、接続関係にある設備の位置情報、すなわちステップＳ２３で検索した設備の位置情報とに基づいて、設備間距離を算出する（ステップＳ２５）。このとき、正当性判定部２２は、ステップＳ２３で検索した設備が複数存在する場合、検索した複数の設備それぞれについて、設備間距離を算出する。例えば、ステップＳ２１で端末装置１０から受信した設備識別情報に対応する設備を設備Ａ、ステップＳ２３で検索した設備が設備Ｂおよび設備Ｃの場合、正当性判定部２２は、設備Ａと設備Ｂの設備間距離および設備Ａと設備Ｃの設備間距離を算出する。
【００４３】
正当性判定部２２は、次に、ステップＳ２５で算出した設備間距離と登録済みの設備間距離との差分を算出する（ステップＳ２６）。登録済みの設備間距離とは、設備管理情報保持部２５が保持している設備管理情報に含まれている設備間距離である。正当性判定部２２は、例えば、ステップＳ２５において設備Ａと設備Ｂの設備間距離を算出した場合、ステップＳ２６では、設備管理情報保持部２５が保持している設備管理情報から、設備Ａと設備Ｂの設備間距離を読み出し、ステップＳ２５で算出した設備間距離との差分を算出する。なお、設備Ａと設備Ｂの設備間距離は、設備Ａに対応する設備管理情報および設備Ｂに対応する設備管理情報に含まれる。正当性判定部２２は、設備Ａに対応する設備管理情報または設備Ｂに対応する設備管理情報から、設備Ａと設備Ｂの設備間距離を読み出す。正当性判定部２２は、ステップＳ２５で複数の設備間距離を算出した場合、複数の設備間距離のそれぞれについて、登録済みの設備間距離との差分を算出する。
【００４４】
正当性判定部２２は、次に、ステップＳ２６で算出した差分を、予め定められた許容値と比較し、設備管理情報保持部２５が保持している設備間距離に誤りがあるか否かを判定する。許容値は、例えば、管理者２９により入力され、正当性判定部２２は、入力された許容値を保持しておく。正当性判定部２２は、ステップＳ２６で複数の設備間距離のそれぞれについて差分を算出した場合、複数の差分のそれぞれを許容値と比較する。
【００４５】
正当性判定部２２は、差分が許容値よりも大きい場合（ステップＳ２７：Ｙｅｓ）、設備間距離に不整合があることを示す確認結果を端末装置１０へ送信する（ステップＳ２８）。設備間距離に不整合があることは、設備管理情報保持部２５が保持している設備間距離に誤りがあることを意味する。正当性判定部２２は、ステップＳ２６で複数の差分を算出した場合、複数の差分の中の少なくとも１つが許容値よりも大きければステップＳ２８を実行する。なお、確認結果の送信は情報送受信部２１が行う。すなわち、ステップＳ２８において、正当性判定部２２は、設備間距離に不整合があることを示す確認結果を生成し、情報送受信部２１は、正当性判定部２２が生成した確認結果を端末装置１０へ送信する。確認結果は、不整合がある設備間距離を示す情報を含む。例えば、確認結果は、設備間距離に対応する２つの設備それぞれの識別情報を、不整合がある設備間距離を示す情報として含む。正当性判定部２２は、ステップＳ２６で複数の差分を算出した場合、各差分に対応する設備間距離のそれぞれについて、確認結果を生成する。正当性判定部２２は、ステップＳ２６で算出した差分および差分を算出する際に使用した設備間距離を確認結果に含ませてもよい。
【００４６】
正当性判定部２２は、差分が許容値以下の場合（ステップＳ２７：Ｎｏ）、設備間距離に不整合が無いことを示す確認結果を端末装置１０へ送信する（ステップＳ２９）。正当性判定部２２は、ステップＳ２６で複数の差分を算出した場合、複数の差分の全てが許容値以下であればステップＳ２９を実行する。また、上記のステップＳ２４で接続関係にある設備が無いと判断した場合にも（ステップＳ２４：Ｎｏ）、ステップＳ２９を実行する。
【００４７】
ステップＳ２８およびＳ２９でサーバ２０が送信する確認結果は、上述した図４のステップＳ１４で端末装置１０が受信する確認結果である。サーバ２０がステップＳ２８を実行して確認結果を送信した場合、この確認結果を受信した端末装置１０は、上述した図４のステップＳ１６において、例えば、図６に示した内容の画面３０１を表示する。図６は、端末装置１０が表示する設備間距離の整合性確認結果の一例を示す図である。図６に示した例では、地図上に電柱３１１、３１２および３１３が表示され、電柱３１１と電柱３１２との間の設備間距離が不整合となっている。これを通知するために、電柱３１１と電柱３１２の間の電線３０２を他の電線とは異なる表示（図示の例では点線で表示）している。なお、設備間距離が不整合となっている電線を他の電線とは異なる色で表示する、表示を点滅させる、などとしてもよい。また、図６に示した例では、不整合の内容をポップアップ表示している。具体的には、接続関係にある２つの設備の識別情報である設備番号３０３Ａおよび３０３Ｂと、差分３０４と、設備管理情報に含まれる設備間距離（登録済み情報）３０５と、位置情報に基づいて算出された設備間距離（推測情報）３０６とが、不整合の詳細内容としてポップアップ表示される。ポップアップ表示には、さらに、情報を修正するための修正ボタン３０８と、情報を修正する必要が無い場合に確認を終了するための問題なしボタン３０９が含まれる。作業者１９は、設備管理情報に含まれる設備間距離が間違っているなど、修正が必要な場合に修正ボタン３０８を押下して修正を行う。また、作業者１９は、設備管理情報に含まれる設備間距離を修正しない場合、問題なしボタン３０９を押下する。作業者１９が修正ボタン３０８を押下し、設備間距離を修正する操作を行った場合、端末装置１０は、図４に示したステップＳ１８を実行する。作業者１９が問題なしボタン３０９を押下した場合、端末装置１０は、図４に示したステップＳ１９を実行する。
【００４８】
図５の説明に戻り、サーバ２０は、ステップＳ２８またはステップＳ２９を実行した後、端末装置１０から点検結果を受信し（ステップＳ３０）、受信した点検結果に基づいて設備管理情報を更新する（ステップＳ３１）。ステップＳ３０でサーバ２０が受信する点検結果は、上述した図４のステップＳ１８またはＳ１９で端末装置１０が送信する点検結果である。設備管理情報の更新は情報更新部２３が行う。ステップＳ３１において、情報更新部２３は、設備管理情報保持部２５が保持している設備管理情報のうち、端末装置１０から受信した点検結果が含む設備識別情報に対応する設備管理情報に対して、点検結果を追加する。また、情報更新部２３は、受信した点検結果に設備間距離（上述した、更新後の設備間距離）が含まれているか否かを確認し、設備間距離が含まれている場合には、端末装置１０から受信した点検結果が含む設備識別情報に対応する設備管理情報に含まれている設備間距離を、点検結果に含まれている設備間距離に置き換える。
【００４９】
以上のように、本実施の形態にかかる情報管理システム１において、端末装置１０は、点検対象の設備の設置位置を示す位置情報を取得してサーバ２０へ送信し、サーバ２０は、端末装置１０から受信した位置情報に基づいて算出される設備間距離と、保持している設備管理情報に含まれる設備間距離との間に不整合が有るか否かを確認し、確認結果を端末装置１０へ送信する。また、端末装置１０は、設備間距離に不整合があることを示す確認結果を受信した場合、不整合が生じている設備間距離を作業者１９に通知するとともに、設備間距離を修正する操作を受け付ける。これにより、設備を設置する際にサーバ２０に登録する設備間距離に誤りがあったとしても、設備の点検時に誤りを発見して正しい内容に修正することが可能となる。また、設備を移設した場合にサーバ２０に登録されている設備間距離を変更し忘れたとしても、設備の点検時に誤りを発見して正しい内容に修正することが可能となる。すなわち、情報管理システム１は、サーバ２０で管理している情報の誤りを設備の点検時に検出できるとともに、作業者１９による操作を受け付けて誤りを修正することができる。
【００５０】
なお、本実施の形態では、端末装置１０が点検対象の設備の位置情報をサーバ２０へ送信し、サーバ２０が設備間距離の不整合の有無を確認して確認結果を端末装置１０へ送信することとしたがこれに限定されない。設備間距離に不整合があるか否かの判定を端末装置１０が行うようにしてもよい。すなわち、サーバ２０の正当性判定部２２の機能を端末装置１０が有するようにしてもよい。この場合、サーバ２０は、端末装置１０から受信した設備識別情報（点検対象の設備の設備識別情報）に基づいて、点検対象の設備と接続関係にある設備を検索し、検索した設備と点検対象の設備との設備間距離、検索した設備の位置情報など、設備間距離に不整合があるか否かの判定に必要な情報を端末装置１０へ送信する。
【００５１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５２】
１  情報管理システム、１０  端末装置、１１，２４  表示部、１２  位置情報取得部、１３，２１  情報送受信部、１４  操作受付部、１９  作業者、２０  サーバ、２２  正当性判定部、２３  情報更新部、２５  設備管理情報保持部、２９  管理者。
【図１】
2019211957.tif 000003
【図２】
2019211957.tif 000004
【図３】
2019211957.tif 000005
【図４】
2019211957.tif 000006
【図５】
2019211957.tif 000007
【図６】
2019211957.tif 000008